(57)【要約】【課題】装填後における用紙の荷崩れを防止し、円滑に給紙させることが可能なカセット及び記録装置を提供する。【解決手段】シート状の用紙Ｐを積層状態で収容可能な収容空間Ｓを有するカセット本体３１を備え、プリンタのカセット装填部に差し込まれた状態にてプリンタの給紙機構によって用紙Ｐが引き出される用紙カセット５であって、用紙Ｐの給紙方向前方側の壁部が上方へ向かって次第に給紙方向前方へ傾斜した分離壁３２とされ、分離壁３２には、この分離壁３２内に引き込んだ退避位置とカセット本体３１の底面から起立した整列位置との間にて揺動可能に支持された仕切板４６が設けられ、仕切板４６は、プリンタのカセット装填部へ用紙カセット５が差し込まれた状態にて、プリンタに設けられたソレノイドによって退避位置へ移動可能とされている。【選択図】図３
2008120466.tif 000002
【特許請求の範囲】
【請求項１】
シート状の媒体を積層状態で収容可能な収容空間を有するカセット本体を備え、記録装置の装填部に差し込まれた状態にて前記記録装置の給紙機構によって前記媒体が引き出されるカセットであって、
前記媒体の給紙方向前方側の壁部が上方へ向かって次第に給紙方向前方へ傾斜した分離壁とされ、
前記分離壁には、この分離壁内に引き込んだ退避位置と前記カセット本体の底面から起立した整列位置との間にて揺動可能に支持された仕切板が設けられ、
前記仕切板は、前記記録装置の装填部へ差し込まれた状態にて、前記記録装置に設けられた解除機構によって前記退避位置へ移動可能とされていることを特徴とするカセット。
【請求項２】
請求項１に記載のカセットであって、
前記解除機構によって押圧されて回動するレバーと、前記レバーの回動軸に設けられて前記仕切板を前記整列位置へ押圧するカムとを備え、
前記仕切板は、前記レバーが前記解除機構によって押圧されて回動することにより、前記カムによる押圧が解除されて退避位置へ移動することを特徴とするカセット。
【請求項３】
請求項２に記載のカセットであって、
前記レバーは、前記解除機構による押圧方向と反対側へ付勢され、前記解除機構による押圧の解除により前記仕切板が起立されて整列位置に配置されることを特徴とするカセット。
【請求項４】
請求項１から３のいずれか１項に記載のカセットが装填可能な装填部と、前記装填部に装填された前記カセット内の媒体を、前記媒体に記録を行う記録処理部へ給紙する給紙機構とを備えた記録装置であって、
前記カセットの仕切板を移動させる解除機構を備え、この解除機構は、前記給紙機構による前記媒体の給紙動作の直前にて前記カセットの前記仕切板を退避位置へ移動させることを特徴とする記録装置。
【請求項５】
請求項４に記載の記録装置であって、
前記解除機構は、前記給紙機構による前記媒体の給紙動作の終了後に、前記カセットの前記仕切板を整列位置へ移動させることを特徴とする記録装置。
【発明の詳細な説明】
【技術分野】
【０００１】
本発明は、用紙等のシート状の媒体を積層させて収容するカセット及びそのカセットを装填可能な記録装置に関する。
【背景技術】
【０００２】
プリンタ、複写機あるいはファクシミリ等のシート状の媒体である用紙に文字や画像を記録する記録装置では、用紙を積層状態で収容するカセットが用いられ、このカセットを記録装置の装填口へ装填した状態にて、カセット内の用紙を繰り出す構造を備えている。
この種のカセットは、用紙の繰り出しを円滑にすべく、給紙側の壁部を傾斜させた構造を有しているが、カセットに積層状態にて収容させた用紙が傾斜させた壁部からなる分離壁側へずれる荷崩れが生じ、円滑な給紙が困難になる。
このため、揺動可能な仕切板を分離壁の手前に設けたカセットが開発されている（例えば、特許文献１参照）。このカセットでは、記録装置から取り外した状態にて仕切板が起立することにより用紙の分離壁側の端部が整列され、記録装置へ装填した際に、その装填動作と連動して土手に沿う位置まで仕切板が回動して用紙の分離壁側の端部から離れ、円滑に用紙が送り出せるようになっている。
【特許文献１】特開平１−２５１０４５号公報
【発明の開示】
【発明が解決しようとする課題】
【０００３】
ところが、このカセットは、記録装置への装填時に、その装填動作と連動して仕切板が回動する構造であるので、装填の際の勢いで整列状態の用紙が分離壁側へずれて荷崩れが生じてしまい、給紙動作が良好に行われない恐れがあった。
また、装填時に荷崩れがなくても、その後の給紙動作によって繰り出される最上部の用紙に連れて下方側の用紙が分離壁側へずれて荷崩れを生じることがあり、この場合、その後の給紙が荷崩れ状態のまま行われ、良好な給紙動作ができなくなってしまう。
【０００４】
本発明は、上記事情に鑑みてなされたもので、装填後における用紙の荷崩れを防止し、円滑に給紙させることが可能なカセット及び記録装置を提供することを目的としている。
【課題を解決するための手段】
【０００５】
上記目的を達成するために、本発明のカセットは、シート状の媒体を積層状態で収容可能な収容空間を有するカセット本体を備え、記録装置の装填部に差し込まれた状態にて前記記録装置の給紙機構によって前記媒体が引き出されるカセットであって、前記媒体の給紙方向前方側の壁部が上方へ向かって次第に給紙方向前方へ傾斜した分離壁とされ、前記分離壁には、この分離壁内に引き込んだ退避位置と前記カセット本体の底面から起立した整列位置との間にて揺動可能に支持された仕切板が設けられ、前記仕切板は、前記記録装置の装填部へ差し込まれた状態にて、前記記録装置に設けられた解除機構によって前記退避位置へ移動可能とされていることを特徴とする。
【０００６】
この構成のカセットによれば、記録装置の装填部へカセットを装填した状態にて解除機構によって仕切板が退避位置へ移動可能とされるので、装填部への装填動作と連動して仕切板が倒れる構造のように、装填の際の勢いで媒体が分離壁側へずれて荷崩れが生じてしまうような不具合をなくすことができる。
これにより、給紙動作時における媒体の整列状態を維持することができ、媒体を分離壁で一枚ずつ分離しながら円滑に送り出すことができる。
【０００７】
また、前記解除機構によって押圧されて回動するレバーと、前記レバーの回動軸に設けられて前記仕切板を前記整列位置へ押圧するカムとを備え、前記仕切板は、前記レバーが前記解除機構によって押圧されて回動することにより、前記カムによる押圧が解除されて退避位置へ移動することが好ましい。
この構成によれば、解除機構によってレバーを押圧することにより、仕切板を容易に退避位置へ移動させて良好な給紙動作が可能な状態とすることができる。
【０００８】
さらに、前記レバーは、前記解除機構による押圧方向と反対側へ付勢され、前記解除機構による押圧の解除により前記仕切板が起立されて整列位置に配置されることが好ましい。
この構成によれば、解除機構によるレバーの押圧が解除されることにより、仕切板を容易に整列位置へ移動させて媒体の積層状態を整列させることができる。また、この状態にて記録装置の装填部から引き抜かれても、仕切板が起立した状態に維持されて媒体の整列状態を維持することができる。
【０００９】
また、本発明の記録装置は、上記のカセットが装填可能な装填部と、前記装填部に装填された前記カセット内の媒体を、前記媒体に記録を行う記録処理部へ給紙する給紙機構とを備えた記録装置であって、前記カセットの仕切板を移動させる解除機構を備え、この解除機構は、前記給紙機構による前記媒体の給紙動作の直前にて前記カセットの前記仕切板を退避位置へ移動させることを特徴とする。
【００１０】
この構成の記録装置によれば、記録装置の装填部へカセットを装填した状態にて解除機構が給紙動作の直前にて仕切板を退避位置へ移動させるので、装填部への装填動作と連動して仕切板が倒れる構造のように、装填の際の勢いで媒体が分離壁側へずれて荷崩れが生じてしまうような不具合をなくすことができる。
つまり、給紙動作時における媒体の整列状態を維持することができ、媒体を分離壁で一枚ずつ分離しながら円滑に送り出し、良好な記録処理を行うことができる。
【００１１】
また、前記解除機構は、前記給紙機構による前記媒体の給紙動作の終了後に、前記カセットの前記仕切板を整列位置へ移動させることが好ましい。
この構成によれば、給紙動作終了後に、仕切板が整列位置に配置されるので、装填部からカセットを引き抜いても、媒体の整列状態を維持することができる。
【発明を実施するための最良の形態】
【００１２】
以下、本発明の一実施形態に係るカセット及び記録装置について図面を参照しつつ詳細に説明する。
なお、本実施形態では、記録装置として印刷処理を行うインクジェットプリンタ等のプリンタを例示している。本発明の記録装置としては、プリンタ以外にも、例えば複写機あるいはファクシミリ等が挙げられる。また、本実施形態では、印刷を施すシート状の媒体として、用紙を例にとって説明する。
【００１３】
図１は本発明に係るプリンタの実施形態の外観斜視図であり、図２は図１に示したプリンタの内部を概略的に示す側断面図である。
本実施形態のプリンタ（記録装置）１は、フロント給紙・リア排紙タイプの業務用のインクジェット式プリンタであり、図１に示すように、装置ケース４の前面中央に、シート状の媒体である用紙を収容した用紙カセット（カセット）５が着脱自在に装填されている。
また、装置ケース４の後面には、印刷が終了した用紙を受ける排紙トレイ６が設けられている。
【００１４】
図２に示すように、装置ケース４は、カセット装填部（装填部）１１を有し、このカセット装填部１１に用紙カセット５が装填されるようになっている。カセット装填部１１に装填された用紙カセット５の用紙Ｐの上方位置には、揺動可能に支持されたフレーム１２の先端に設けられたピックアップローラ（給紙機構）１３が配置されている。そして、このピックアップローラ１３は、用紙カセット５の用紙Ｐの最上のものに当接することにより、用紙Ｐの最上のものを１枚ずつ後方へ繰り出し、後方側に設けられた給紙ローラ（給紙機構）１４とリタードローラ（給紙機構）１５との間へ送り込む。
【００１５】
給紙ローラ１４及びリタードローラ１５は、送り込まれた用紙Ｐを一枚ずつ挟持しながら後方へ送り出すもので、これら給紙ローラ１４及びリタードローラ１５の後方には、用紙Ｐをプリンタ１の後面側へ搬送して排紙トレイ６上に排出させる搬送経路１７を有している。
搬送経路１７の途中には、用紙Ｐの搬送方向と直交する水平方向に延在する複数のガイド軸２１に沿って往復移動可能に設けられて、繰り出された用紙Ｐに文字や画像を印刷する記録ヘッド（記録処理部）２２が設けられている。
【００１６】
搬送経路１７は、記録ヘッド２２の上流側に設けられて用紙Ｐを挟持して記録ヘッド２２による印刷位置に搬送する搬送ローラ２３，２４と、記録ヘッド２２の下流側に設けられて記録ヘッド２２により印刷された用紙Ｐを挟持して排紙トレイ６に排出する排紙ローラ２５，２６とを有している。
また、プリンタ１には、用紙カセット５の装填方向前方側に、用紙カセット５のプリンタ１に対する着脱によってＯＮ・ＯＦＦするカセット検出センサ２７及び後述する整列機構を作動させる解除機構であるソレノイド２８が設けられている。
【００１７】
次に、プリンタ１のカセット装填部１１に装填される用紙カセット５について説明する。
図３は用紙カセットの斜視図、図４は用紙カセットに設けられた整列機構の斜視図、図５は整列機構を構成する仕切板周辺の斜視図、図６（ａ），（ｂ）は整列機構の動作を説明する断面図である。
【００１８】
図３に示すように、用紙カセット５は、図示略の蓋部によって上部が開閉されるカセット本体３１を有している。
カセット本体３１は、合成樹脂からなる一体成形品であり、上方が開放された凹状に形成され、その内部には、複数の用紙Ｐを積層させた状態に収容可能な収容空間Ｓが形成されている。カセット本体３１の収容空間Ｓには、プリンタ１における給紙方向前方側であるプリンタ１への装填方向前方側に、上方へ向かって次第に給紙方向前方へ傾斜した分離壁３２が形成されている。なお、この分離壁３２には、その表面に、高摩擦材が塗布あるいは貼付されている。
【００１９】
カセット本体３１には、その分離壁３２に、整列機構４１が設けられている。
図４に示すように、整列機構４１は、分離壁３２に沿って配設された回動シャフト４２を有している。この回動シャフト４２には、その一端に、板状のレバー４３が固定されており、このレバー４３は、カセット本体３１に形成された窓部３１ａにて露出されている。このレバー４３には、回動シャフト４２に取り付けられた巻きバネ４４によって窓部３１ａ側へ付勢され、窓部３１ａの縁部に当接されている。
【００２０】
そして、用紙カセット５をプリンタ１のカセット装填部１１へ装填すると、プリンタ１のソレノイド２８の対向位置に、カセット本体３１の窓部３１ａが配置される。
ここで、ソレノイド２８は、ソレノイド本体２８ａと、このソレノイド本体２８ａに対して進退する作動棒２８ｂとを備えたもので、ソレノイド２８に作動電流が供給されると、ソレノイド本体２８ａから作動棒２８ｂが突出され、その先端によって窓部３１ａにて露出されているレバー４３が巻きバネ４４の付勢力に抗して押圧されるようになっている。
【００２１】
図５に示すように、回動シャフト４２の他端には、カム４５が設けられている。このカム４５は、径方向外方へ突出する押圧部４５ａを有しており、この押圧部４５ａは、カセット本体３１の収容空間Ｓ側へ向けられている。
また、分離壁３２には、切欠部３２ａが形成されており、この切欠部３２ａには、仕切板４６が設けられている。この仕切板４６は、カム４５よりも収容空間Ｓ側に配置されており、その下端部が回動シャフト４２と同一方向の回動軸４７を中心として、分離壁３２内に引き込んだ退避位置と収納空間Ｓ側に押圧されてカセット本体３１の底面から起立した整列位置との間にて揺動可能とされている。
【００２２】
また、この仕切板４６は、回動軸４７に設けられた巻きバネ４８によってカム４５側へ付勢されている。この仕切板４６には、当接面４６ａが形成されており、この当接面４６ａに、カム４５が当接されている。
【００２３】
次に、上記用紙カセット５に用紙Ｐを収容させてプリンタ１によって印刷を施す場合について説明する。
まず、カセット本体３１の収容空間Ｓ内に用紙Ｐを収容させた用紙カセット５をプリンタ１に装填する。
ここで、上記整列機構４１を備えた用紙カセット５では、図６（ａ）に示すように、仕切板４６がカム４５の押圧部４５ａによって収容空間Ｓ側へ押圧されて整列位置に配置されている。これにより、カセット本体３１の収容空間Ｓに積層状態に収容された用紙Ｐは、分離壁３２側の端部が仕切板４６によって揃えられた状態に維持される。
【００２４】
そして、用紙Ｐが収容された用紙カセット５をプリンタ１のカセット装填部１１へ装填すると、カセット検出センサ２７によって用紙カセット５の装填が検出されるとともに、ソレノイド２８の対向位置に、カセット本体３１の窓部３１ａが配置される。
なお、プリンタ１へ用紙カセット５を装填しても、整列機構４１の仕切板４６は、カム４５の押圧部４５ａによって収容空間Ｓ側へ押圧されて整列位置に配置されている。これにより、カセット本体３１の収容空間Ｓに積層状態に収容された用紙Ｐは、分離壁３２側の端部が仕切板４６によって揃えられた状態に維持され、分離壁３２側へずれて荷崩れするようなことがない。
【００２５】
この状態にて、プリンタ１に印刷指令が送信されると、ソレノイド２８に作動電流が供給され、ソレノイド本体２８ａから作動棒２８ｂが突出され、作動棒２８ｂの先端によって、窓部３１ａにて露出されているレバー４３が巻きバネ４４の付勢力に抗して押圧される。
これにより、回動シャフト４２が回動し、この回動シャフト４２とともにカム４５が回動する。
すると、図６（ｂ）に示すように、カム４５の押圧部４５ａが下方へ変位することにより、押圧部４５ａによる仕切板４６の当接面４６ａの押圧が解除され、仕切板４６が巻きバネ４８の付勢力により収容空間Ｓと反対側へ回動し、分離壁３２の切欠部３２ａ内に引き込まれた退避位置に配置される。
【００２６】
その後、ピックアップローラ１３が下方へ移動して回転することにより、積層された用紙Ｐの最上部のものに接触し、最上部の用紙Ｐを送り出す給紙動作が開始される。
この用紙Ｐは、分離壁３２によって下方側の用紙Ｐと確実に分離されて送り出され、給紙ローラ１４及びリタードローラ１５によって一枚ずつ搬送経路１７へ送り出される。
【００２７】
次いで、この用紙Ｐは、搬送ローラ２３，２４に挟持されて搬送経路１７に沿って搬送され、記録ヘッド２２に対する用紙Ｐの位置決めが行われ、用紙Ｐの幅方向である副走査方向へ移動しながら吐出ノズルからインクを吐出する記録ヘッド２２によって用紙Ｐへの印刷が行われる。そして、この用紙Ｐは、その先端が給紙ローラ２５，２６に挟持されて排紙トレイ６へ向かって搬送され、排紙トレイ６へ排出される。
【００２８】
印刷が終了すると、ソレノイド２８への駆動電流の供給が停止することにより、作動棒２８ｂによるレバー４３の押圧が解除される。
これにより、レバー４３が巻きバネ４４の付勢力によって、窓部３１ａの縁部に当接するまで窓部３１ａ側へ回動する。これにより、回動シャフト４２を介してカム４５が逆方向へ回動する。
すると、このカム４５の押圧部４５ａが仕切板４６の押圧面４６ａに摺動しながら、この押圧面４６ａを押圧することにより、仕切板４６が巻きバネ４８の付勢力に抗して収容空間Ｓ側へ押圧されて整列位置に配置され、これにより、カセット本体３１の収容空間Ｓの用紙Ｐの分離壁３２側の端部が仕切板４６によって揃えられた状態に維持される。
【００２９】
このように、上記実施形態に係る用紙カセット及びプリンタによれば、プリンタ１のカセット装填部１１へ用紙カセット５を装填した状態にてソレノイド２８が給紙動作の直前にて仕切板４６を退避位置へ移動させるので、カセット装填部１１への装填動作と連動して仕切板４６が倒れる構造のように、装填の際の勢いで用紙Ｐが分離壁３２側へずれて荷崩れが生じてしまうような不具合をなくすことができる。
つまり、給紙動作時における用紙Ｐの整列状態を維持することができ、用紙Ｐを分離壁３２で一枚ずつ分離しながら円滑に送り出し、良好な印刷処理を行うことができる。
【００３０】
また、整列機構４１は、レバー４３がソレノイド２８の作動棒２８ｂによって押圧されて回動し、カム４５による押圧が解除されることにより、仕切板４６が退避位置へ移動する構造であるので、ソレノイド２８の作動棒２８ｂによってレバー４３を押圧することにより、仕切板４６を容易に退避位置へ移動させて良好な給紙動作が可能な状態とすることができる。
【００３１】
さらに、レバー４３が、ソレノイド２８の作動棒２８ｂによる押圧方向と反対側へ付勢され、ソレノイド２８の作動棒２８ｂによる押圧の解除により仕切板４６が起立されて整列位置に配置される構造を備えているので、ソレノイド２８の作動棒２８ｂによるレバー４３の押圧が解除されることにより、仕切板４６を容易に整列位置へ移動させて用紙Ｐの積層状態を整列させることができる。また、この状態にてプリンタ１のカセット装填部１１から用紙カセット５を引き抜いても、仕切板４６が起立した状態に維持されるので、用紙Ｐの整列状態を維持することができる。
【００３２】
なお、上記実施形態では、記録装置として、インクジェットプリンタを例にとって説明したが、本発明は、インクジェットタイプに限定されず、例えば、ドットインパクトプリンタにも適用でき、さらには、プリンタ以外にも、例えば複写機あるいはファクシミリ等にも適用できる。
【００３３】
また、上記実施形態では、シート状の媒体として、用紙を例にとって説明したが、本発明は、樹脂製のフィルム等からなる媒体も適用可能である。
【図面の簡単な説明】
【００３４】
【図１】本発明に係るプリンタの実施形態の外観斜視図である。
【図２】図１に示したプリンタの内部を概略的に示す側断面図である。
【図３】用紙カセットの斜視図である。
【図４】用紙カセットに設けられた整列機構の斜視図である。
【図５】整列機構を構成する仕切板周辺の斜視図である。
【図６】整列機構の動作を説明する断面図である。
【符号の説明】
【００３５】
１…プリンタ（記録装置）、５…用紙カセット（カセット）、１１…カセット装填部（装填部）、１３…ピックアップローラ（給紙機構）、１４…給紙ローラ（給紙機構）、１５…リタードローラ（給紙機構）、２２…記録ヘッド（記録処理部）、２８…ソレノイド（解除機構）、３１…カセット本体、３２…分離壁、４３…レバー、４５…カム、４６…仕切板、Ｐ…用紙（媒体）、Ｓ…収容空間。
【図１】
2008120466.tif 000003
【図２】
2008120466.tif 000004
【図３】
2008120466.tif 000005
【図４】
2008120466.tif 000006
【図５】
2008120466.tif 000007
【図６】
2008120466.tif 000008